(57)【要約】【課題】開き戸を開いた状態で支持する機能を兼ね備えた回動補助機構を提供する。【解決手段】開き戸の回動補助機構であって、開き戸及び開き戸を回動可能に支持する枠体の一方に設けられたストライカ１３と、開き戸及び枠体の他方に設けられ、開き戸の閉動時に、ストライカ１３を捕捉開始位置から捕捉終了位置まで誘導して開き戸の閉動を補助するキャッチャーユニット３０とを備えるとともに、キャッチャーユニット３０には、開き戸を予め設定された角度に開いた状態で支持する支持アーム３５が設けられ、該支持アーム３５は、捕捉開始位置から捕捉終了位置に至るストライカ１３の相対移動軌跡に重複しない非作用位置と、相対移動軌跡を遮る作用位置との間で移動可能にキャッチャーユニットに対して支持された。【選択図】図９
2014091968.tif 000002
【特許請求の範囲】
【請求項１】
開き戸の回動補助機構であって、
前記開き戸及び前記開き戸を回動可能に支持する枠体の一方に設けられたストライカと、
前記開き戸及び前記枠体の他方に設けられ、前記開き戸の閉動時に、前記ストライカを捕捉開始位置から捕捉終了位置まで誘導して前記開き戸の閉動を補助する捕捉部とを備えるとともに、
前記捕捉部には、前記開き戸を予め設定された角度に開いた状態で支持する支持部が設けられ、該支持部は、前記捕捉開始位置から前記捕捉終了位置に至る前記ストライカの相対移動軌跡に重複しない非作用位置と、前記相対移動軌跡を遮る作用位置との間で移動可能に前記捕捉部に対して支持された回動補助機構。
【請求項２】
前記捕捉部は、前記開き戸又は前記枠体に固定される基材を備え、該基材には、前記ストライカを前記捕捉開始位置から前記捕捉終了位置まで誘導するガイド溝が形成され、
前記支持部は、前記非作用位置と前記作用位置との間で前記基材に対して回動可能に支持されたアームであって、前記作用位置に配置されたアームは、前記ガイド溝に突出することによって前記ストライカの前記捕捉終了位置へ向かう移動を妨げる請求項１に記載の回動補助機構。
【請求項３】
前記アームは、非作用位置で前記ガイド溝の壁部を構成する請求項２に記載の回動補助機構。
【請求項４】
前記捕捉部は、前記開き戸又は前記枠体に固定される枠部と、前記枠部に対し移動可能に設けられた可動部を備え、該可動部には、前記ストライカを前記捕捉終了位置まで誘導するガイド溝が形成され、
前記支持部は前記可動部によって構成され、前記作用位置に配置された前記可動部は、前記ストライカと前記ガイド溝を構成する壁部との当接によって前記ストライカの前記捕捉終了位置へ向かう移動を妨げる請求項１に記載の回動補助機構。
【請求項５】
前記枠部及び前記可動部の一方は、掛止爪を備え、
前記枠部及び前記可動部の他方は、前記掛止爪に掛止される歯が形成された被掛止部を備え、該被掛止部を前記掛止爪に対して摺接しながら移動する請求項４に記載の回動補助機構。
【発明の詳細な説明】
【技術分野】
【０００１】
この発明は、開き戸の回動補助機構に関する。
【背景技術】
【０００２】
従来より、換気等の目的で開き戸を所定の開度で支持する装置が知られている（例えば、特許文献１参照）。特許文献１に記載の装置は、開き戸を常時閉じる方向に付勢するアームユニットと、開き戸の開度を規制するか否かを切り換える切換ユニットと、開き戸の開度を規制した状態を解除する解除部材とを備える。アームユニット及び解除部材は、開き戸を回動可能に支持する枠体に設けられ、切換ユニットは、開き戸の縦框に設けられる。
【先行技術文献】
【特許文献】
【０００３】
【特許文献１】特許第４７５８２２４号公報
【発明の概要】
【発明が解決しようとする課題】
【０００４】
一方、開き戸の回動を補助する回動補助機構が実用化されている。回動補助機構の一例として、開き戸の閉動時、開き戸を閉位置に付勢するとともに、制動力を付与して緩やかに閉める機能を有する機構がある。回動補助機構が設けられた開き戸に、開き戸を所定開度で支持する装置を取り付けた場合、枠体及び開き戸に取り付けられる部品点数が多くなり、回動補助機構及び支持装置を装着するために要する工数が増えてしまう。
【０００５】
本発明は、上記問題点に鑑みてなされたものであり、その目的は、開き戸を開いた状態で支持する機能を兼ね備えた回動補助機構を提供することにある。
【課題を解決するための手段】
【０００６】
上記課題を解決する開き戸の回動補助機構は、前記開き戸及び前記開き戸を回動可能に支持する枠体の一方に設けられたストライカと、前記開き戸及び前記枠体の他方に設けられ、前記開き戸の閉動時に、前記ストライカを捕捉開始位置から捕捉終了位置まで誘導して前記開き戸の閉動を補助する捕捉部とを備えるとともに、前記捕捉部には、前記開き戸を予め設定された角度に開いた状態で支持する支持部が設けられ、該支持部は、前記捕捉開始位置から前記捕捉終了位置に至る前記ストライカの相対移動軌跡に重複しない非作用位置と、前記相対移動軌跡を遮る作用位置との間で移動可能に前記捕捉部に対して支持された。
【０００７】
この態様によれば、支持部は、開き戸の回動補助機構に設けられ、ストライカの相対移動軌跡を遮ることで、閉動する開き戸を途中で停止し、開き戸を予め設定された角度に開いた状態で支持することができる。従って、回動補助機構は、開き戸の作動の補助機能に加え、開き戸を開いた状態で支持する機能を兼ね備える。このため、回動補助機構が取り付けられる開き戸に対し、開いた状態の開き戸を支持する装置を別途設ける必要がない。
【０００８】
上記回動補助機構について、前記捕捉部は、前記開き戸又は前記枠体に固定される基材を備え、該基材には、前記ストライカを前記捕捉開始位置から前記捕捉終了位置まで誘導するガイド溝が形成され、前記支持部は、前記非作用位置と前記作用位置との間で前記基材に対して回動可能に支持されたアームであって、前記作用位置に配置されたアームは、前記ガイド溝に突出することによって前記ストライカの前記捕捉終了位置へ向かう移動を妨げることが好ましい。
【０００９】
この態様によれば、支持部は、捕捉部の基材に回動可能に支持されたアームから構成される。このため、基材にアームを設けることによって、回動補助機構は、開き戸を開いた状態で支持する機能を兼ね備えることができる。
【００１０】
上記回動補助機構について、前記アームは、非作用位置で前記ガイド溝の壁部を構成することが好ましい。
この態様によれば、支持部を構成するアームは、非作用位置にてガイド溝の壁部を構成するので、回動させるだけでガイド溝へ突出させることができる。また、アームとガイド溝との間にスペースが設けられないので、捕捉部を小型化することができる。
【００１１】
上記回動補助機構について、前記捕捉部は、前記開き戸又は前記枠体に固定される枠部と、前記枠部に対し移動可能に設けられた可動部を備え、該可動部には、前記ストライカを前記捕捉終了位置まで誘導するガイド溝が形成され、前記支持部は前記可動部によって構成され、前記作用位置に配置された前記可動部は、前記ストライカと前記ガイド溝を構成する壁部との当接によって前記ストライカの前記捕捉終了位置へ向かう移動を妨げることが好ましい。
【００１２】
この態様によれば、支持部は、枠部に移動可能に設けられた可動部から構成される。このため、可動部を枠部に設けることによって、回動補助機構は、開き戸を開いた状態で支持する機能を兼ね備えることができる。
【００１３】
上記回動補助機構について、前記枠部及び前記可動部の一方は、掛止爪を備え、前記枠部及び前記可動部の他方は、前記掛止爪に掛止される歯が形成された被掛止部を備え、該被掛止部を前記掛止爪に対して摺接しながら移動することが好ましい。
【００１４】
この態様によれば、可動部は枠部に対して、掛止爪と被掛止部とを摺接させながら移動し、作用位置では、被掛止部を掛止爪に掛止させることによって可動部を固定することができる。
【図面の簡単な説明】
【００１５】
【図１】開き戸の回動補助機構の第１実施形態であって、開き戸としてのドアを下方からみた要部斜視図。
【図２】同ドアを上方からみた要部斜視図。
【図３】同回動補助機構を構成するストライカユニットの平面図。
【図４】同ストライカユニットの要部の分解斜視図。
【図５】同ストライカユニットの要部平面図。
【図６】同回動補助機構を構成するキャッチャーユニットの斜視図。
【図７】同回動補助機構の捕捉開始状態を示す平面図。
【図８】同回動補助機構の捕捉終了状態を示す平面図。
【図９】同回動補助機構が開いたドアを支持した状態を示す平面図。
【図１０】開き戸の回動補助機構の第２実施形態であって、回動補助機構を構成するキャッチャーユニットの斜視図。
【図１１】同キャッチャーユニットの側面図。
【図１２】同キャッチャーユニットの側面図。
【図１３】同キャッチャーユニットの平面図。
【図１４】同回動補助機構が開いたドアを支持した状態を示す平面図。
【図１５】開き戸の回動補助機構の変形例であって、同回動補助機構が開いたドアを支持した状態を示す平面図。
【発明を実施するための形態】
【００１６】
（第１実施形態）
以下、開き戸の回動補助機構の第１実施形態を説明する。本実施形態では、回動補助機構が設けられる開き戸をドアとし、ドア側に回動補助機構を構成する捕捉部を設け、ドアが支持される枠体に回動補助機構を構成するストライカが設けられた態様について説明する。
【００１７】
図１に示すように、建物の壁等には長方形状の開口を有するドア枠Ｆが設けられ、このドア枠Ｆには、ドア枠Ｆの開口を閉塞可能なドアＤが、図示しないヒンジ機構を介して回動可能に支持されている。ドア枠Ｆのうち、上枠の内側面Ｆ１であって、ドアＤの回動端Ｄ１寄りの位置には、回動補助機構を構成するストライカユニット１１が設けられている。ストライカユニット１１には、上カバー１１ｃが被せられている。
【００１８】
図２に示すように、ドアＤのうち、ストライカユニット１１に対応する位置には、回動補助機構及び捕捉部を構成するキャッチャーユニット３０が設けられている。キャッチャーユニット３０は、ドアＤの上端に形成された凹部Ｄ２に収容されている。凹部Ｄ２のうち、ドア枠Ｆ側の側面には、ドアＤの上端から下方に向かって切り欠いた差込口Ｄ３が設けられている。
【００１９】
（ストライカユニットの構成）
ストライカユニット１１の構成について説明する。図３は、ストライカユニット１１の上カバーを取り外した状態を示している。ストライカユニット１１は、平面視において略長方形状のケース１２を備えている。ケース１２は、略長方形状の底壁部１２ａと、底壁部１２ａの長辺に沿って形成された一対の側壁１２ｂを備えている。ケース１２の上面は開口し、この開口には上カバー１１ｃが取り付けられる。ケース１２には、ストライカ１３が、回動可能に支持されている。ストライカ１３は、揺動部１６とアーム１７とから構成されている。
【００２０】
図４に示すように、揺動部１６は、略扇型状をなし、第１摺動ピン１６ａ及び第２摺動ピン１６ｂが突出形成されている。また、揺動部１６の先端には、回動軸１６ｃが形成されている。アーム１７は、揺動部１６に重ねられる連結部１７ａと、連結部１７ａから延出する細長部１７ｂとを有している。細長部１７ｂの先端には、ピン２０が突出形成されている。細長部１７ｂの基端には、揺動部１６の回動軸１６ｃに連結される軸受部１７ｃが形成されている。
【００２１】
図３に示すように、ケース１２には、図３中ストライカ１３の右側に設けられた第１スライド部２１と、第２スライド部２２とが、ケース１２に対しスライド可能に設けられている。第１スライド部２１は、ハウジング２１ａ内に、軸ダンパー２３を備える。軸ダンパー２３は、シリンダ２３ａ内にオイル等の流体を封入し、シリンダ２３ａ内でロッド２３ｂと一体をなすピストン（図示略）を移動させることによって、制動力を発生させる。第２スライド部２２は、ハウジング２２ａと、ハウジング２２ａ及びケース１２の間に介在する圧縮コイルばね２４とを備える。
【００２２】
図４に示すように、第１スライド部２１のハウジング２１ａの一端には、連結部２１ｂが形成されている。連結部２１ｂには、略Ｌ字状に屈曲した第１摺動溝２１ｃが形成されている。第１スライド部２１及びストライカ１３がケース１２に装着されたとき、この第１摺動溝２１ｃには、ストライカ１３の第１摺動ピン１６ａが摺動可能に差し込まれる。
【００２３】
また、第２スライド部２２のハウジング２２ａの一端には、連結部２２ｂが形成されている。第１スライド部２１及び第２スライド部２２は、連結部２１ｂ，２２ｂを互いに向かい合わせた状態でケース１２内に収容される。第２スライド部２２の連結部２２ｂには、略Ｌ字状に屈曲した第２摺動溝２２ｃが形成されている。第２スライド部２２及びストライカ１３がケース１２に装着されたとき、この第２摺動溝２２ｃには、ストライカ１３の第２摺動ピン１６ｂが摺動可能に差し込まれる。
【００２４】
図５に示すように、ケース１２に、第１スライド部２１及び第２スライド部２２と、揺動部１６及びアーム１７とを装着すると、揺動部１６の回動軸１６ｃが、アーム１７の軸受部１７ｃに連結されて、揺動部１６及びアーム１７が、回動軸１６ｃを中心として一体に回動可能とされる。ストライカ１３は、アーム１７の大部分がケース１２の外側へ突出した状態で装着される。
【００２５】
また、第１スライド部２１の第１摺動溝２１ｃ及び第２スライド部２２の第２摺動溝２２ｃは、互いに異なる方向に屈曲する向きに配置される。揺動部１６の第１摺動ピン１６ａ及び第２摺動ピン１６ｂは、第１摺動溝２１ｃ及び第２摺動溝２２ｃにそれぞれ差し込まれる。第２スライド部２２は、圧縮コイルばね２４により、図５中右側へ押圧する方向に付勢されているので、第２摺動ピン１６ｂは、第２摺動溝２２ｃのうち図５中最左端の摺動開始位置に配置される。第２摺動ピン１６ｂと第１摺動ピン１６ａとの間隔は一定であるため、第１摺動ピン１６ａは、第１摺動溝２１ｃの図５中上端の摺動開始位置に配置される。
【００２６】
（キャッチャーユニットの構成）
次に、キャッチャーユニット３０の構成について説明する。図６に示すように、キャッチャーユニット３０は、平面視略長方形状の基材３１を備えている。基材３１には、ストライカ１３のピン２０が摺動するガイド溝３２が凹設されている。ガイド溝３２は、基材３１の側面で開口した開口部３２ａを有している。開口部３２ａからは、第１溝部３２ｂが、基材３１の長辺に対して斜め方向と開口部３２ａに対して反対側とに向かって延びている。第１溝部３２ｂの終端からは、第２溝部３２ｃが、基材３１の長辺に対して平行に延びている。第２溝部３２ｃと開口部３２ａとの間には、係止壁３２ｄが形成されている。
【００２７】
また、第１溝部３２ｂの一部は、支持部としての支持アーム３５の側面によって構成されている。支持アーム３５は、基材３１のうち第２溝部３２ｃの手前の位置で、ネジ等の調整部材３６を介して基材３１に回動可能に支持されている。調整部材３６を緩めると、支持アーム３５は回動可能となり、調整部材３６を締めると基材３１に対して回動不能に固定される。
【００２８】
支持アーム３５は、先端に、略Ｕ字状の把持部３５ａを有している。把持部３５ａの内側には、ストライカ１３のピン２０を把持可能な凹部３５ｂが形成されている。この支持アーム３５は、ガイド溝３２に突出しない位置に配置されたときに、先端部３５ｄが開口部３２ａから突出しない長さに形成されている。また、先端部３５ｄと第１溝部３２ｂの始端側の側壁面３１ｂとの間の隙間は、少なくともストライカ１３のピン２０の直径よりも小さい幅であるため、ガイド溝３２に差し込まれたピン２０は、この隙間に嵌らずに摺動していく。
【００２９】
また、支持アーム３５のうち、基材３１の底壁部と対向する面には、規制ピン３５ｃが設けられている。この規制ピン３５ｃは、基材３１に形成された規制溝３１ａに差し込まれている。規制溝３１ａの短手方向の幅は、ストライカ１３のピン２０の直径よりも小さく、ガイド溝３２に差し込まれたピン２０は規制溝３１ａに嵌らずに摺動していく。
【００３０】
そして、このような構成のキャッチャーユニット３０は、開口部３２ａと、ドアＤの差込口Ｄ３とを重ね合わせた状態でドアＤの凹部Ｄ２に収容される。
（作用）
次に、ストライカユニット１１及びキャッチャーユニット３０の作用について説明する。まず、支持アーム３５が非作用位置に配置され、ドアＤが通常の開閉作動を行う場合について説明する。図７に示すように、ドアＤが、ドア枠Ｆの開口を閉塞する閉位置に向かって、回動端Ｄ１を中心に移動すると、予め設定された開度でストライカ１３のピン２０が、キャッチャーユニット３０の開口部３２ａに差し込まれる。このときのピン２０の位置を捕捉開始位置という。
【００３１】
この状態からドアＤが閉位置に向かってさらに移動すると、ピン２０が、支持アーム３５の側面を摺動して、第２溝部３２ｃに向かって移動する。このとき、ストライカ１３は、回動軸１６ｃを中心に、ドア枠Ｆを下方からみて時計回り方向に回転する。このとき、圧縮コイルばね２４は、第２スライド部２２をストライカ１３側へ押圧することによって、ストライカ１３の図７中時計回り方向の回転を付勢する。この際、軸ダンパー２３により、第１スライド部２１を介して、ストライカ１３に制動力が付与される。従って、ドアＤは閉位置に付勢されるとともに制動力が付与され、緩やかに閉まっていく。また、揺動部１６の第１摺動ピン１６ａは、第１摺動溝２１ｃに沿って、図７中下方に移動し、第２摺動ピン１６ｂは、第２摺動溝２２ｃに沿って図７中上方に移動する。
【００３２】
ピン２０が支持アーム３５の側面を摺動した後、さらにドアＤが閉位置に向かって移動すると、ピン２０は、第２溝部３２ｃ内に差し込まれ、第１摺動ピン１６ａは第１摺動溝２１ｃをさらに下方に向かって摺動し、第２摺動ピン１６ｂは第２摺動溝２２ｃをさらに上方に向かって摺動する。ストライカ１３は、回動軸１６ｃを中心に時計回り方向に回転していく。
【００３３】
図８に示すように、ドアＤが閉位置に配置されたとき、ピン２０は、第２溝部３２ｃの延出方向における略中央に配置される。また、ストライカ１３の第１摺動ピン１６ａは、第１摺動溝２１ｃの中央部に配置され、第２摺動ピン１６ｂは、第２摺動溝２２ｃの終端に配置される。このときのピン２０の位置を、捕捉終了位置という。
【００３４】
ドアＤが閉位置から開動されると、ピン２０は閉動時と逆の経路を辿る。即ち、ピン２０は、第２溝部３２ｃを抜けて支持アーム３５の側面を摺動し、開口部３２ａから脱出する。ストライカ１３は、図８中反時計回りに回転する。第１スライド部２１は、圧縮コイルばね２４の付勢力に抗して、ドアＤの回動端Ｄ１側へ移動し、第２スライド部２２も同方向に移動する。
【００３５】
図７に示すように、このようにドアＤが開閉されるとき、支持アーム３５は、ピン２０による捕捉開始位置から捕捉終了位置に至る相対移動軌跡に重複しない非作用位置に配置される。ピン２０は、上述したように支持アーム３５の側面を摺動するのみである。
【００３６】
次に、ドアＤを予め設定された開度に開いた状態で支持する場合について説明する。図９に示すように、まずドアＤを開き、キャッチャーユニット３０の支持アーム３５に設けられた調整部材３６を緩める。そして、回動可能となった支持アーム３５を、規制ピン３５ｃが規制溝３１ａの終端に係止されるまで回動する。そして、規制ピン３５ｃが規制溝３１ａの終端に係止された状態で、調整部材３６を締めて固定する。その結果、支持アーム３５は、ガイド溝３２に突出し、ピン２０による捕捉開始位置から捕捉終了位置に至る相対移動軌跡に重複する作用位置に配置される。
【００３７】
支持アーム３５を作用位置に配置した後、ドアＤを閉動すると、支持アーム３５の把持部３５ａは、ストライカ１３のピン２０の相対移動軌跡上にあるため、ピン２０は支持アーム３５の凹部３５ｂに嵌合される。支持アーム３５は、基材３１に固定されているので、回動することなくドアＤを支持する。このため、ドアＤの閉動は妨げられ、ドアＤは、支持アーム３５によって予め設定された開度で開いた状態で支持される。ドアＤが支持アーム３５によって支持された状態を解除する場合には、調整部材３６を緩めて、ガイド溝３２と反対側へ回動する。そして、支持アーム３５を基材３１の側壁に当接させた後、調整部材３６を締めて非作用位置に固定する。
【００３８】
第１実施形態によれば、以下のような効果を得ることができる。
（１）第１実施形態では、キャッチャーユニット３０に、ドアＤを予め設定された角度に開いた状態で支持する支持アーム３５を設けた。支持アーム３５は、捕捉開始位置から捕捉終了位置に至るストライカ１３の相対移動軌跡に重複しない非作用位置と、相対移動軌跡を遮る作用位置との間で回動可能にキャッチャーユニット３０の基材３１に支持される。このため、作用位置にある支持アーム３５は、ストライカ１３のピン２０を凹部３５ｂに嵌合するので、閉動するドアＤを途中で停止し、ドアＤを予め設定された角度に開いた状態で支持することができる。従って、回動補助機構は、ドアＤの作動の補助機能に加え、ドアＤを開いた状態で支持する機能を兼ね備える。このため、回動補助機構が取り付けられるドアＤに対し、ストッパー等を別途設ける必要がない。
【００３９】
（２）第１実施形態では、キャッチャーユニット３０は、ドア枠Ｆに固定される基材３１を備え、基材３１には、ストライカ１３を捕捉開始位置から捕捉終了位置まで誘導するガイド溝３２が形成される。支持部は、非作用位置と作用位置との間で基材３１に対して回動可能に支持された支持アーム３５であって、作用位置に配置された支持アーム３５は、ガイド溝３２に突出することによって、ストライカ１３の捕捉終了位置へ向かう移動を妨げる。このため、基材３１に支持アーム３５を設けることによって、回動補助機構は、ドアＤを開いた状態で支持する機能を兼ね備えることができる。また、ドアＤを開いた状態で支持する場合には、支持アーム３５を作用位置まで回動させればよく、使用者が簡単に操作できる。
【００４０】
（３）第１実施形態では、支持アーム３５は、非作用位置で、ガイド溝３２の第１溝部３２ｂの壁部を構成する。このため、支持アーム３５を回動させるだけでガイド溝３２へ突出させることができる。また、支持アーム３５とガイド溝３２との間にスペースが設けられないので、キャッチャーユニット３０を小型化することができる。
【００４１】
（第２実施形態）
次に、本発明を具体化した第２実施形態を説明する。尚、第２実施形態は、第１実施形態のキャッチャーユニットを変更したのみの構成であるため、同様の部分については同一符号を付してその詳細な説明を省略する。
【００４２】
図１０に示すように、キャッチャーユニット３０は、支持部及び可動部としての基材４１と、基材４１をスライド可能に支持する枠部としての支持枠４２とを備える。基材４１には、ガイド溝３２が形成されている。ガイド溝３２の形状は、第１実施形態と同様である。
【００４３】
支持枠４２は、上面が開口するとともに、正面に開口部４２ａを備えている。支持枠４２は、その開口部４２ａを、ガイド溝３２の開口部３２ａと合わせた状態で基材４１を収容している。
【００４４】
図１１に示すように、支持枠４２の各側面には、開口部４２ａ側から切り欠いた切り欠き部４２ｂがそれぞれ形成されている。切り欠き部４２ｂの側面のうち、開口部４２ａ側と反対側の側端には、掛止爪４２ｃが片持ち梁状に形成されている。この掛止爪４２ｃは、その先端が、鉤状に形成されている。
【００４５】
また、基材４１は、各側面から突出した被掛止部４１ａを備えている。被掛止部４１ａは、切り欠き部４２ｂに差し込まれ、掛止爪４２ｃ側に配置される面に、掛止爪４２ｃに掛止される歯４１ｂを備えている。
【００４６】
図１２に示すように、基材４１を使用者が手で引っ張ると、基材４１は、被掛止部４１ａを掛止爪４２ｃに摺接させながら、開口部４２ａから手前へ引き出される。図１３に示すように、基材４１が所望量だけ支持枠４２から引き出されると、基材４１は支持枠４２に対して手前に突出した状態になる。即ち、基材４１のうちガイド溝３２を除く壁部が、ピン２０による捕捉開始位置から捕捉終了位置に至る相対移動軌跡に重複する作用位置に配置される。
【００４７】
次に、本実施形態の作用について説明する。図１４に示すように、基材４１を作用位置に配置した後、ドアＤを閉動すると、ストライカ１３のピン２０は、ガイド溝３２の捕捉終了位置まで到達することなく、捕捉終了位置の手前のガイド溝３２の壁部に引っ掛かる。本実施形態では、ピン２０は、第１溝部３２ｂと第２溝部３２ｃとの間で係止されている。これは、ストライカ１３の位置は変わっていないにも関わらず、ガイド溝３２のストライカユニット１１に対する相対位置は変更されていることによる。
【００４８】
従って、第２実施形態によれば、第１実施形態に記載の（１）の効果に加えて以下の効果を得ることができる。
（４）第２実施形態によれば、キャッチャーユニット３０は、ドア枠Ｆに固定される支持枠４２と、支持枠４２に対し移動可能に設けられた基材４１とを備え、基材４１には、ストライカ１３を捕捉終了位置まで誘導するガイド溝３２が設けられる。また、ドアＤを予め設定された開度で開いた状態で支持する支持部は、基材４１によって構成され、作用位置に配置された基材４１は、ストライカ１３とガイド溝３２を構成する壁部との当接によってストライカ１３の捕捉終了位置へ向かう移動を妨げる。このため、基材４１を支持枠４２に設けることによって、回動補助機構は、ドアＤを開いた状態で支持する機能を兼ね備えることができる。また、このため、ドアＤを開いた状態で支持する場合には、この基材４１を所望量だけ引き出せばよく、使用者が簡単に操作することができる。
【００４９】
（５）第２実施形態によれば、支持枠４２は、掛止爪４２ｃを備え、基材４１は、掛止爪４２ｃが掛止される歯４１ｂが形成された被掛止部４１ａを備える。基材４１は、被掛止部４１ａを掛止爪４２ｃに対して摺接しながら移動する。このため、作用位置では、所望量だけ引き出された基材４１を、被掛止部４１ａ及び掛止爪４２ｃの掛止によって固定することができる。
【００５０】
尚、上記実施形態は以下のように変更してもよい。
・第２実施形態では、基材４１を支持枠４２に対して手前に引き出すことで、基材４１を非作用位置から作用位置へ配置させたが、手前方向以外の方向に移動させることで基材４１を作用位置に配置してもよい。図１５に示すように、基材４１を支持枠４２に対して横にスライドさせてもよい。基材４１は、第２実施形態の被掛止部４１ａを奥側の面に備え、支持枠４２は、被掛止部４１ａに対応する位置に図示しない掛止爪４２ｃを備える。支持枠４２の内側は、基材４１の長手方向の幅よりも大きい幅を有し、支持枠４２内で基材４１をスライド可能である。ドアＤを所定の開度で開いた状態で保持するときは、基材４１を、底面からみて手で右側にスライドさせて作用位置に移動させる。この状態でドアＤを閉動すると、ストライカ１３のピン２０が係止壁４１ｄに当接して係止され、ドアＤが所定開度で保持される。このとき、係止壁４１ｄのうち、ピン２０の当接位置には、ピン２０の外径に合わせて凹部が形成されていてもよい。
【００５１】
・開き戸を予め設定された角度に開いた状態で支持する支持部を、上記各実施形態では、支持アーム３５と可動部としての基材４１とから構成したが、ストライカの相対移動軌跡を遮るものであればよく、その他の構成でもよい。例えば、キャッチャーユニット３０に備えられたリンク機構でもよい。リンク機構は、非作用位置にて、ドア枠Ｆ又はドアＤに収容され、作用位置で、リンクのアームを突出させてストライカ１３とキャッチャーユニットのガイド溝３２との間に介在する。
【００５２】
・第１実施形態の支持アーム３５は、圧縮コイルばね、又はねじりコイルばね等の付勢手段によって、作用位置に付勢されていてもよい。
【符号の説明】
【００５３】
１１…回動補助機構を構成するストライカユニット、１３…ストライカ、１７…アーム、３０…回動補助機構及び捕捉部を構成するキャッチャーユニット、３１…基材、３２…ガイド溝、３５…支持部としての支持アーム、４１…支持部及び可動部としての基材、４１ａ…被掛止部、４１ｂ…歯、４２…枠部としての支持枠、４２ｃ…掛止爪、Ｄ…開き戸としてのドア、Ｆ…枠体としてのドア枠。
【図１】
2014091968.tif 000003
【図２】
2014091968.tif 000004
【図３】
2014091968.tif 000005
【図４】
2014091968.tif 000006
【図５】
2014091968.tif 000007
【図６】
2014091968.tif 000008
【図７】
2014091968.tif 000009
【図８】
2014091968.tif 000010
【図９】
2014091968.tif 000011
【図１０】
2014091968.tif 000012
【図１１】
2014091968.tif 000013
【図１２】
2014091968.tif 000014
【図１３】
2014091968.tif 000015
【図１４】
2014091968.tif 000016
【図１５】
2014091968.tif 000017